(57)【特許請求の範囲】
【請求項１】
ベース内に収納、固定され、通電方向を切換える毎にプランジャの作動方向が反転するようになされた有極電磁石部と、上記プランジャに結合され、上記プランジャの作動に連動して開閉動作をするようになされた可動接触子と、上記可動接触子に対向して上記ベースに設けられた固定接触子と、上記可動接触子の反固定接触子側に設けられ、上記可動接触子を固定接触子側に押圧することにより、上記可動接触子と固定接触子が閉合しているとき両接触子に接触圧力を作用させる接圧ばねと、上記ベースに設けられ、上記可動接触子が上記固定接触子から所定位置まで開離したとき、上記接圧ばねの移動を阻止する突起とを備えたことを特徴とするリモコンリレー。
【請求項２】
ベース内に収納、固定され、通電方向を切換える毎にプランジャの作動方向が反転するようになされた有極電磁石部と、上記プランジャに結合され、上記プランジャの作動に連動して往復動するようになされた可動子ホルダと、上記可動子ホルダの往復動方向に摺動できるように上記可動子ホルダの先端に保持され、可動接点を有する可動子と、上記可動接点に対向して上記ベースに設けられた固定接点と、上記可動接点の反固定接点側で上記可動接点と上記可動子ホルダとの間に設けられた接圧ばねとを有するリモコンリレーにおいて、上記固定接点から上記可動接点が所定位置まで開離したとき、上記接圧ばねの移動を阻止する突起を上記ベースに設けることにより、上記可動接点の開離時における上記接圧ばねの付勢力が上記可動子ホルダに対し上記可動接点の開離方向とは逆方向に作用するようにしたことを特徴とするリモコンリレー。
【請求項３】
固定接点と可動接点が開離しているとき可動子ホルダに対して作用する接圧ばねの付勢力と、上記固定接点と可動接点が閉合しているとき上記可動子ホルダに対して作用する接圧ばねの付勢力とがほぼ等しくなるように構成したことを特徴とする請求項２記載のリモコンリレー。
【発明の詳細な説明】
【０００１】
【発明の属する技術分野】
この発明は、多数の照明装置などを低電圧で遠隔制御するために用いるリモコンリレーに関するものである。
【０００２】
【従来の技術】
従来のリモコンリレーとしては例えば特公平７−７６３１号公報あるいは特開平９−２７２６１号公報に示された構成のものがある。その構成について図１０を参照して説明する。即ち、電磁コイル１２５への通電方向を切換えることによってプランジャ１２７の動作方向が正逆反転する有極電磁石部１２０を備え、プランジャ１２７の正逆動作方向反転に伴って連動バー１３１が連動し主接点１４１、１５１を開閉する。また、プランジャ１２７の正逆動作方向反転に伴って電磁コイル１２５への通電回路に挿入した逆流阻止要素としてのダイオードの極性を正逆反転させる。このダイオードの極性反転により、プランジャ１２７が突出しているときにはプランジャ１２７を吸引させる方向にのみ電磁コイル１２５への通電がなされ、、プランジャ１２７の吸引時にはプランジャ１２７を突出させる方向にのみ電磁コイル１２５への通電がなされるようにしたリモコンリレー（リモートコントロールリレー）が提供されている。なお、主接点１４１、１５１の閉合時には、接圧ばね１３４が可動接触子１４０を固定端子板１５０側に付勢し、主接点１４１、１５１の接触を維持するように構成されている。
【０００３】
【発明が解決しようとする課題】
従来のリモコンリレーは、有極電磁石部１２０の永久磁石１２３により、開離時の状態保持、閉合時の状態保持を行っている。ところで、閉合時には、可動接触子１４０に接触して取り付けられている接圧ばね１３４の付勢力により、有極電磁石部１２０の吸着力とは、反対方向の接圧荷重Ｆｏｎ（但し、図１０中に作用線は図示していない）が作用するが、接圧荷重Ｆｏｎよりも、有極電磁石部１２０の吸着力Ｆｍ（但し、図１０中に作用線は図示していない）の方が強いため、閉合状態を保持する。開離時には、有極電磁石１２０には、反対方向の荷重はかからないため永久磁石１２３の吸着力Ｆｍがそのままの力で保持される。従ってこの構成では、閉合時と、開離時の荷重バランスがくずれており、電気的開閉操作電圧はバラツキを生じてしまう。即ち、開離時には永久磁石１２３の吸着力Ｆｍがそのままの力で保持されているので、開離時から閉合状態に移行するときの方が、閉合時から開離状態に移行するときよりも、電気的開閉操作電圧として高い電圧を必要とする。しかし、実用されるリモコンリレーでは、開離時と閉合時とで開閉操作電圧を変えることは好ましくないので、上記の場合、開離時から閉合状態に移行するときの高い開閉操作電圧で両方の操作を行うことになる。
【０００４】
一方、限られた電力で、開閉操作するリモコンリレーは、余裕がないため操作電圧は低い方が好ましい。そのため、開離時に、閉合時と同じ荷重が有極電磁石部１２０に加わるよう、接圧ばね１３４とは別の他のばねなどにより荷重を加え、バランスをとる手段が考えられている。しかし、接圧ばね１３４にもバラツキがあるため、その都度開離時の荷重調整をする必要があり、調整作業に時間を費やすこととなる。
【０００５】
この発明は、かかる問題点を解決するためになされたものであり、電気的開閉操作電圧について、開離時、閉合時のバラツキを少なくして、操作電圧の低いリモコンリレーを提供することを目的とする。また、組み立ての容易なリモコンリレーを提供することを目的とする。
【０００６】
【課題を解決するための手段】
上記目的を達成するために、本発明のリモコンリレーにおいては、ベース内に収納、固定され、通電方向を切換える毎にプランジャの作動方向が反転するようになされた有極電磁石部と、上記プランジャに結合され、上記プランジャの作動に連動して開閉動作をするようになされた可動接触子と、上記可動接触子に対向して上記ベースに設けられた固定接触子と、上記可動接触子の反固定接触子側に設けられ、上記可動接触子を固定接触子側に押圧することにより、上記可動接触子と固定接触子が閉合しているとき両接触子に接触圧力を作用させる接圧ばねと、上記ベースに設けられ、上記可動接触子が上記固定接触子から所定位置まで開離したとき、上記接圧ばねの移動を阻止する突起とを備えたものである。
【０００７】
また、ベース内に収納、固定され、通電方向を切換える毎にプランジャの作動方向が反転するようになされた有極電磁石部と、上記プランジャに結合され、上記プランジャの作動に連動して往復動するようになされた可動子ホルダと、上記可動子ホルダの往復動方向に摺動できるように上記可動子ホルダの先端に保持され、可動接点を有する可動子と、上記可動接点に対向して上記ベースに設けられた固定接点と、上記可動接点の反固定接点側で上記可動接点と上記可動子ホルダとの間に設けられた接圧ばねとを有するリモコンリレーにおいて、上記固定接点から上記可動接点が所定位置まで開離したとき、上記接圧ばねの移動を阻止する突起を上記ベースに設けることにより、上記可動接点の開離時における上記接圧ばねの付勢力が上記可動子ホルダに対し上記可動接点の開離方向とは逆方向に作用するようにしたものである。
【０００８】
さらに、固定接点と可動接点が開離しているとき可動子ホルダに対して作用する接圧ばねの付勢力と、固定接点と可動接点が閉合しているとき可動子ホルダに対して作用する接圧ばねの付勢力とがほぼ等しくなるように構成したものである。
【０００９】
【発明の実施の形態】
実施の形態１．
図１は、この発明の要部に関し固定接点と可動接点が閉合時の状態を示す説明図、図２は、要部に関し固定接点と可動接点が開離時の状態を示す説明図である。図３ないし図８は、この発明にかかるリモコンリレーの全体の構成を示すもので、図３は固定接点と可動接点が閉合時の斜視図、図４は開離時の斜視図、図５は固定接点と可動接点が閉合時の正面図、図６は開離時の正面図、図７は固定接点と可動接点が閉合時の側面図、図８は開離時の側面図である。図９は有極電磁石部の断面図である。
【００１０】
図において、１は合成樹脂材製のベース、２は図７、図８に示すように形成された合成樹脂材製のカバー、３はセンターベースで、２極の可動接点部２３の中間の絶縁隔壁を構成すると共に、端子金具９ｂの取付け部材にもなっている。４は合成樹脂材製の可動子ホルダーであり、ハンドル５を介して後述の有極電磁石部２１に連結されている。この可動子ホルダー４は有極電磁石部２１の作動により往復動するように構成されている。６は固定子であり固定接点１３を設けてある。７Ａは固定子６に設けられた磁気プレート、８は付勢プレートで、後述のように接圧ばね１１に固着されている。９は導電材料で形成された可動子であり、可動子ホルダ４の往復動方向と同じ往復動方向に摺動できるように上記可動子ホルダ４の先端に保持されている。７Ｂは可動子９に設けられた磁気プレートであり、固定子６の磁気プレート７Ａと対向する位置に設けられている。１０は可動接点で可動子９の表側面に設けられている。
【００１１】
１１は接圧ばねであり、可動子９の裏側面と上記可動子ホルダ４の先端面との間に嵌装されている。ただし、この接圧ばね１１には、可動子ホルダ４の側に金属板製の付勢プレート８が固着されており、突起１２と係合するようになされている。突起１２はこの発明の要部となるもので、図７及び図８に示すように、ベース１とカバー２の内壁及びセンターベース３の両側に設けられており、可動接点１０が所定の位置まで開離したとき付勢プレート８が突起１２に係合して、それ以上開離できないように作用するものである。
【００１２】
なお、９ａはシャントであり、一端は可動子９に、他端はセンターベース３に設けられた端子板９ｂに接続されている。また、固定子６、固定接点１３、磁気プレート７Ａなどにより固定接点部２２が構成され、可動子ホルダー４、可動子９、可動接点１０、接圧ばね１１、磁気プレート７Ｂ、付勢プレート８などにより可動接点部２３が構成されている。この構成から、固定接点部２２の端子部２２ａ→固定子６→固定接点１３→可動接点１０→可動子９→シャント９ａ→端子板９ｂにより通電電路が形成される。また、可動接点部２３の磁気プレート７Ｂと固定接点部２２の磁気プレート７Ａとにより可動接点１０の閉路時に磁気回路を構成し、大電流の通電時に可動接点１０が固定接点１３から電磁反発により開離するのを抑制するようになされている。
【００１３】
２１は有極電磁石部であり図９に示すように構成されている。この場合、図９は可動接点１０と固定接点１３が閉合しているときの状態を示すものである。図において、１４はプランジャ、１５はヨークＡ、１６はヨークＢ、１７は永久磁石１、１８は電磁コイルである。１４ａ、１４ｂは鍔部であり、プランジャ１４と一体的に形成されている。図の構成は、リモコンスイッチ（図示せず）の切換え操作により、電磁コイル１８に通電され、プランジャ１４が矢印Ｆｏｎ方向に作動した状態であり、鍔部１４ａの閉位置当接部１４ａ１がヨークＡ１５の閉位置当接部１５ａに当接した位置にある。このとき、プランジャ１４の鍔部１４ｂの閉位置当接部１４ｂ１はヨークＢ１６の閉位置当接部１６ｂに当接した位置にある。可動接点１０と固定接点１３が開離した状態については後述する。
【００１４】
上記有極電磁石部２１のプランジャ１４の先端にハンドル５が連結され、このハンドル５に可動子ホルダー４即ち可動接点部２３が連結されている。従って、可動接点部２３は、有極電磁石部２１により電気的に開閉駆動（往復動）され、また、ハンドル５により機械的にも開閉駆動（往復動）される。
【００１５】
上記構成のリモコンリレーにおいて、可動接点１０と固定接点１３が閉合しているときの状態及び接圧ばね１１の作用を図１を参照して説明する。
先ず、可動接点１０と固定接点１３が開離している状態において、遠隔操作のリモコンスイッチ（図示せず）により、有極電磁石部２１の電磁コイル１８に通電される。この通電により、プランジャ１４が閉合位置まで移動し（図１において上方に移動し）停止する。プランジャ１４の閉位置とは、プランジャ１４の一方の鍔部１４ａの閉位置当接部１４ａ１がヨークＡ１５の閉位置当接部１５ａに当接し、他方の鍔部１４ｂの閉位置当接部１４ｂ１がヨークＢ１６の閉位置当接部１６ｂに当接する位置である。プランジャ１４の移動に連動して、ハンドル５がその回転軸５ａを中心に（図１において反時計方向に）回動する。また、可動子ホルダー４は連結ピン５ｂでハンドル５に連結されているので、ハンドル５の回動に伴って可動接点１０が固定接点１３に向かう方向（図１において下方向に）移動する。可動子ホルダー４が固定接点１３側（図１において下方向）に移動する際に、可動接点１０は固定接点１３に接触する。このとき、接圧ばね１１はほぼ自然長の状態で、接圧ばね１１に固着された付勢プレート８が可動子ホルダー４の当接面４ａに当接する。
【００１６】
その後、さらに可動子ホルダー４が固定接点１３側（図１において下方向）に距離Ｇ移動する。このとき、付勢プレート８も可動子ホルダー４と共に移動し、可動接点１０及び可動子９は移動しないので、接圧ばね１１はオーバートラベルとなる距離Ｇ圧縮される。従って、接圧ばね１１の付勢力が可動接点１０を固定接点１３に圧接させる。この状態が、図１に示されている。このとき、固定接点１３と可動接点１０の間には、接圧ばね１１により、接圧Ｆｏｎが生じている。一方、有極電磁石部２１には、永久磁石１７の磁力が働いてプランジャ１４の閉合方向（図１において上方向）の吸着力Ｆｍａが生じている。この状態において、接圧Ｆｏｎはその反作用により吸着力Ｆｍａを打ち消す方向にも作用するが、吸着力Ｆｍａよりもその大きさ（絶対値）が小さいので、リモコンリレーは閉状態に維持される。
【００１７】
次に、可動接点１０と固定接点１３が開離しているときの状態及び接圧ばね１１の作用を図２を参照して説明する。
可動接点１０と固定接点１３が閉合している状態において、遠隔操作のリモコンスイッチ（図示せず）を操作すると、有極電磁石部２１の電磁コイル１８に通電される。この通電により、プランジャ１４が開離位置まで移動し（図２において下方に移動し）停止する。プランジャ１４の開離位置とは、プランジャ１４の一方の鍔部１４ａの開離位置当接部１４ａ２がヨークＢ１６の開離位置当接部１６ａに当接し、他方の鍔部１４ｂの開離位置当接部１４ｂ２がヨークＡ１５の開離位置当接部１５ｂに当接する位置である。プランジャ１４の移動に連動して、ハンドル５がその回転軸５ａを中心に（図１において時計方向に）回動する。ハンドル５の回動に伴って、可動子ホルダー４は可動接点１０が固定接点１３から離れる方向（図２において上方向に）移動する。
【００１８】
上記のように、可動子ホルダー４が固定接点１３から離れる側（図２において上方向）に移動すると、接圧ばね１１の上端に固着された付勢プレート８が突起１２に当接して移動を阻止される。この阻止のあと更に可動子ホルダー４が僅かながら移動するように構成されている。従って、接圧ばね１１が圧縮される。この圧縮により、接圧ばね１１の付勢力は突起１２を支点にして可動子ホルダー４を固定接点１３側に付勢することになる。この状態が、図２に示されている。このとき、可動子ホルダー４には、接圧ばね１１により、固定接点１３側（図２において下方側）に付勢力Ｆｏｆｆが生じている。一方、有極電磁石部２１には、永久磁石１７の磁力が働いてプランジャ１４の開離方向（図２において下方向）に吸着力Ｆｍｂが生じている。（この吸着力Ｆｍｂは前記の吸着力Ｆｍａと同じ大きさの吸着力になるように構成されている）この状態において、上記の付勢力Ｆｏｆｆはハンドル５を介してプランジャ１４の吸引力Ｆｍｂを打ち消す方向に作用するが、吸引力Ｆｍｂよりもその大きさ（絶対値）が小さいので、リモコンリレーは開離状態に維持される。
【００１９】
前述した通り、図１に示す可動接点１０と固定接点１３が閉合時には、接圧ばね１１により、プランジャ１４に対しプランジャ１４の吸着力Ｆｍａとは反対方向の接圧Ｆｏｎがかかり、実質の吸着力は、吸着力Ｆｍａから接圧Ｆｏｎを差引いた値になる。また、図２に示す可動接点１０と固定接点１３が開離時には、接圧ばね１１の反作用により、プランジャ１４に対しプランジャ１４の吸着力Ｆｍｂとは反対方向の付勢力Ｆｏｆｆがかかり、実質の吸着力は、吸着力Ｆｍｂから付勢力Ｆｏｆｆを差引いた値になる。上記のことから、開離時と閉合時の実質の吸着力の差異を少なく調整することができる。従って、開離時と閉合時の電気的開閉操作電圧を同一にし、しかも、低い操作電圧に設定することができる。この調整は、突起１２の位置を変えることにより可能であるが、付勢プレート８の板厚（突起１２に当接する部分の関係位置）を変えることによっても調整できる。
また、可動接点１０の反対側に接圧ばね１１を設けたので、組み立て効率がよく、かつ、可動ホルダ４の往復移動量により閉合時、開離時の接圧Ｆｏｎ、Ｆｏｆｆを決めることができ、調整が容易である。
また、可動子ホルダ４に付勢プレート８と接圧ばね１１を組み込んでユニット化できるので、組み立て効率がよい。
【００２０】
なお、上記実施の形態において、突起１２はベース１とカバー２の内壁及びセンターベース３の両側に設けたものを示したが、ベース１、カバー２、センターベース３に限定されるものではなく、支持枠を有する構成の場合は、支持枠に設けてもよい。また、突起１２でなく他の手段で接圧ばね１１を係止してもよい。さらに、突起１２を長くするか、接圧ばね１１の上端を拡張して付勢プレート８に相当するものを形成すれば、付勢プレート８を省略することができる。
【００２１】
【発明の効果】
この発明は、以上説明したように構成されているので、以下に記載されるような効果を奏する。
【００２２】
有極電磁石部において、開離時と閉合時の実質の吸着力の差異を少なく調整できるので、電気的開閉操作電圧を低くし、しかも、操作電圧値の設定が容易になる。
【００２３】
また、特別な調整用のばねをもつ必要がないので、部品点数の削減も可能である。
【００２４】
また、接圧ばねを可動接点とは反対側で一直線上に設けたので、組み立ての効率がよい。
また、付勢プレートを用いる場合、これを接圧ばねと共に可動子ホルダーに組み込んでユニット化できるので組立ての効率がよい。
【００２５】
さらに、操作電圧を低くできることから、有極電磁石部の小形化をはかることも可能である。
【図面の簡単な説明】
【図１】  この発明の要部に関し接点が閉合時の状態を示す説明図である。
【図２】  この発明の要部に関し接点が開離時の状態を示す説明図である。
【図３】  接点が閉合時のリモコンリレーを示す斜視図である。
【図４】  接点が開離時のリモコンリレーを示す斜視図である。
【図５】  接点が閉合時のリモコンリレーを示す正面図である。
【図６】  接点が開離時のリモコンリレーを示す正面図である。
【図７】  接点が閉合時のリモコンリレーを示す側面図である。
【図８】  接点が開離時のリモコンリレーを示す側面図である。
【図９】  有極電磁石部を示す断面図である。
【図１０】  従来のリモコンリレーを示す正面図である。
【符号の説明】
１  ベース、２  カバー、３  センターベース、４  可動子ホルダー、
５  ハンドル、６  固定子、７Ａ，７Ｂ  磁気プレート、８  付勢プレート、
９  可動子、９ａ  シャント、９ｂ  端子板、１０  可動接点、
１１  接圧ばね、１２  突起、１３  固定接点、１４  プランジャ、
１５  ヨークＡ、１６  ヨークＢ、１７  永久磁石、１８  電磁コイル、
２１  有極電磁石部、２２  固定接点部、  ２３  可動接点部。
【図１】
0004354628.tif 000002
【図２】
0004354628.tif 000003
【図３】
0004354628.tif 000004
【図４】
0004354628.tif 000005
【図５】
0004354628.tif 000006
【図６】
0004354628.tif 000007
【図７】
0004354628.tif 000008
【図８】
0004354628.tif 000009
【図９】
0004354628.tif 000010
【図１０】
0004354628.tif 000011